(57)【特許請求の範囲】
【請求項１】
電力を発生させる分散型電源と、
前記分散型電源から電力線を通じて電力の供給を受ける電力系統と、
前記電力線を開路又は閉路にする開閉装置と、
前記電力系統に連系し、前記電力線の開路時期を管理する管理装置と、
を備え、
前記管理装置は、
前記開閉装置の識別データと、前記電力系統における電力の需要が通常より少なくなる時期を示す時期データとを対応付けて記憶する手段と、
前記電力系統及び前記電力線を通じて前記開閉装置に対して、当該開閉装置の識別データに対応付けられた前記時期データを送信する手段と、
を備え、
前記開閉装置は、
前記時期データを記憶する手段と、
前記管理装置から前記時期データを受信したときに、記憶した前記時期データを、受信した前記時期データに変更する手段と、
前記時期データに基づいて、前記時期には前記電力線を開路にし、前記時期以外には前記電力線を閉路にする手段と、
を備え、
前記管理装置は、
１又は所定数の前記開閉装置を１のグループとし、当該グループごとに異なる時期を示す前記時期データを記憶する
ことを特徴とする電力需給調整システム。
【発明の詳細な説明】
【技術分野】
【０００１】
本発明は、タイマー式開閉器を用いて、分散型電源による電力の需給調整を行うシステムに関する。
【背景技術】
【０００２】
近年、太陽光発電設備等の分散型電源が電力系統に連系されるようになり、そういった分散型電源の台数が増加している。それに伴って、ゴールデンウィーク等、電力の需要の少ない期間には、分散型電源により発電された電力が電力系統に対して過剰に流入することにより、電力の需給調整が困難になることが予想される。
【先行技術文献】
【特許文献】
【０００３】
【特許文献１】特開平６−１４１４６９号公報
【発明の概要】
【発明が解決しようとする課題】
【０００４】
分散型電源の増加に伴い、電力の需給調整が困難になることに対して、今後、電力系統側に大容量の蓄電設備を設置する等の対策を、大規模に実施する必要があると考えられる。その場合には、蓄電設備等の設置費用が高額であるため、電力系統の運用者に多額の費用負担がかかるという問題が発生する。
【０００５】
なお、特許文献１には、制御回路と、電力会社の配電線端子との間に一定時間のみスイッチがオンとなるタイマーを有する配電盤が開示されているが、タイマーを使って夜間に電気料金が安価な商用電源から電気製品等に電力を供給するものであり、電力需要の少ない時期に太陽光発電や風力発電による電力を調整するものではない。
【０００６】
本発明は、上記課題を鑑みてなされたものであり、その主たる目的は、分散型電源による電力の需給調整を低コストに行うことにある。
【課題を解決するための手段】
【０００７】
上記課題を解決するために、本発明は、電力需給調整システムであって、電力を発生させる分散型電源と、前記分散型電源から電力線を通じて電力の供給を受ける電力系統と、前記電力線を開路又は閉路にする開閉装置と、前記電力系統に連系し、前記電力線の開路時期を管理する管理装置と、を備え、前記管理装置が、前記開閉装置の識別データと、前記電力系統における電力の需要が通常より少なくなる時期を示す時期データとを対応付けて記憶する手段と、前記電力系統及び前記電力線を通じて前記開閉装置に対して、当該開閉装置の識別データに対応付けられた前記時期データを送信する手段と、を備え、前記開閉装置が、前記時期データを記憶する手段と、前記管理装置から前記時期データを受信したときに、記憶した前記時期データを、受信した前記時期データに変更する手段と、前記時期データに基づいて、前記時期には前記電力線を開路にし、前記時期以外には前記電力線を閉路にする手段と、を備え、前記管理装置が、１又は所定数の前記開閉装置を１のグループとし、当該グループごとに異なる時期を示す前記時期データを記憶することを特徴とする。
【０００８】
電力系統に連系する負荷は、変電所の系統電力や分散型電源の余剰電力を消費するが、
この構成によれば、その負荷による消費電力量が少なくなる時期において、開閉装置が電力線を開路にすることにより、通常はつながっている分散型電源を電力系統から切り離す。これによれば、開閉装置を用いて、電力の需要が減少する時期に、分散型電源による電力が電力系統に過剰に供給されるのを回避するので、低コストに電力の需給調整を行うことができる。
次に、この構成によれば、管理装置は、開閉装置ごとの時期データを記憶し、その開閉装置ごとに時期データを送信し、一方、開閉装置は、管理装置から時期データを受信し、更新する。これによれば、電力会社は、管理装置を用いて、配下にある開閉装置ごとの時期データを一括管理できるので、電力系統全体における電力の需給調整を行うことができる。
そして、この構成によれば、管理装置は、１台の開閉装置又は所定台数の装置グループごとに、異なる時期に開路するように管理する。これによれば、電力需要が通常の状態から少し減少することが想定されるときに、その減少分の電力が１台又は所定台数の分散型電源から供給されるのを停止することにより、電力系統における電力の需給バランスを図ることができる。また、１台又は所定台数の分散型電源を切り離す時期を別にするので、各分散型電源から供給される電力を均等に抑制し、売電の対価を均等にすることができる。
【００１７】
その他、本願が開示する課題及びその解決方法は、発明を実施するための形態の欄、及び図面により明らかにされる。
【発明の効果】
【００１８】
本発明によれば、分散型電源による電力の需給調整を低コストに行うことができる。
【図面の簡単な説明】
【００１９】
【図１】第１の実施の形態に係る電力需給調整システム１ａの構成を示す図である。
【図２】タイマー式開閉装置５ａのハードウェア構成を示す図である。
【図３】第２の実施の形態に係る電力需給調整システム１ｂの構成を示す図である。
【図４】タイマー式開閉装置５ｂのハードウェア構成を示す図である。
【図５】電力系統管理装置７ａのハードウェア構成を示す図である。
【図６】電力系統管理装置７ａの記憶部７５に記憶されるタイマー設定値データ７５Ａの構成を示す図である。
【図７】その他の実施の形態に係る電力需給調整システム１ｃの構成を示す図である。
【図８】開閉装置５ｃの構成を示す図である。
【図９】電力系統管理装置７ｂの記憶部７５に記憶される信号送信スケジュールデータ７５Ｂの構成を示す図である。
【発明を実施するための形態】
【００２０】
以下、図面を参照しながら、本発明を実施するための形態を説明する。本発明の実施の形態に係る電力需給調整システムは、１年間のうち、任意の期間又は時間帯（時期）が設定可能なタイマーにより、その期間又は時間帯に分散型電源を電力系統から切り離す機能を持った開閉装置を、分散型電源を電力系統に接続する電気回路に設置するものである。そして、ゴールデンウィーク等、電力の需要が少なく、分散型電源により発電された電力が電力系統に過剰に流入して、電力の需給調整が困難となることが予想される期間について、分散型電源を切り離すことにより、過剰な電力が電力系統に流入することを回避する。
【００２１】
≪第１の実施の形態≫
<システムの構成>
図１は、第１の実施の形態に係る電力需給調整システム１ａの構成を示す図である。電力需給調整システム１ａは、電力系統２、電力線３、分電盤４、タイマー式開閉装置５ａ及び分散型電源６を含む。電力系統２は、変電所（図示せず）から受けた系統電力を送電し、連系する分散型電源６からの電力を受電するともに、連系する負荷（図示せず）に電力を供給する配電線等である。電力線３は、電力系統２、分電盤４、タイマー式開閉装置５ａ及び分散型電源６を順次接続する引込線や屋内配線等である。
【００２２】
分電盤４は、電力を安全に使用するために必要な漏電遮断器や配線用遮断器を１つにまとめた箱であり、引込線により電力系統２に接続され、一方、屋内配線により負荷（図示せず）や分散型電源６に接続される。タイマー式開閉装置５ａは、分電盤４と、分散型電源６との間に設置され、その間の開路及び閉路のタイミング（時期データ）を記憶し、そのタイミングに応じて開路又は閉路の操作を行う。分散型電源６は、分電盤４を経由して電力系統２に連系し、発電した電力を電力系統２に供給するものであるが、分電盤４との間にタイマー式開閉装置５ａが設置されることで、開路及び閉路のタイミングに応じて電力供給が制限される。
【００２３】
図２は、タイマー式開閉装置５ａのハードウェア構成を示す図である。タイマー式開閉装置５ａは、開閉部５１、タイマー５２、入力部５３、処理部５４及び記憶部５５を備え、各部がバス５６を介してデータを送受信可能なように接続されている。開閉部５１は、処理部５４からの指示により分電盤４と、分散型電源６との間を開路又は閉路にする部分であり、例えば、開閉器によって実現される。タイマー５２は、処理部５４の指示により開路及び閉路のタイミングを設定し、そのタイミングに従って開路及び閉路のトリガとなる信号を処理部５４に発信する部分であり、例えば、時計や割り込みコントローラ等によって実現される。入力部５３は、オペレータが操作によりデータ（例えば、タイマー５２の設定値）を入力する部分であり、例えば、操作ボタンやタッチパネル等によって実現される。
【００２４】
処理部５４は、所定のメモリを介して各部間のデータの受け渡しを行うととともに、タイマー式開閉装置５ａ全体の制御を行うものであり、ＣＰＵ（Central Processing Unit）が所定のメモリに格納されたプログラムを実行することによって実現される。特に、入力部５３からタイマー設定値（開路及び閉路のタイミング）を取得したときに、そのタイマー設定値を設定する指示をタイマー５２に発し、タイマー５２から開路又は閉路のトリガを受けたときに、開路又は閉路の指示を開閉部５１に発する。記憶部５５は、処理部５４からデータを記憶したり、記憶したデータを読み出したりするものであり、例えば、ＨＤＤ（Hard Disk Drive）やＳＳＤ（Solid State Drive）等の不揮発性記憶装置によって実現される。
【００２５】
<システムの動作>
電力需給調整システム１ａにおいて、タイマー式開閉器５ａが設置され、そのタイマー式開閉器５ａのタイマー５２には開路及び閉路のタイミングが設定されており、そのタイミングに従って、分電盤４と、分散型電源６との間を開路又は閉路に操作する。その間が開路になると、分散型電源６による発電電力が遮断され、電力系統２には供給されない。その間が閉路になると、分散型電源６による発電電力が分電盤４を経由して電力系統２に供給される。
【００２６】
タイマー式開閉器５ａのタイマー５２には、過去の実績等から電力需要が低下する時期を想定したタイマー設定値が予め設定されている。予め設定されたタイマー設定値を変更する必要がなければ、タイマー式開閉器５ａは設定変更機能を備えなくてもよい。一方、予め設定されたタイマー設定値を変更する必要があれば、タイマー式開閉器５ａは手動による設定変更機能（具体的には、入力部５３）を備えることになる。例えば、年によってコールデンウィークの期間が変わり、それにより休日の日付も変わるので、それに応じてタイマー設定値を変更する。この場合、タイマー設定値の変更は、電力系統２を運用する電力会社等から、ゴールデンウィークの期間等、給電停止対象の時期に間に合うように委託を受けた作業員が実施するが、電力会社の顧客が実施することも考えられる。
【００２７】
≪第２の実施の形態≫
<システムの構成>
図３は、第２の実施の形態に係る電力需給調整システム１ｂの構成を示す図である。電力需給調整システム１ｂは、電力系統２、電力線３、分電盤４、タイマー式開閉装置５ｂ、分散型電源６及び電力系統管理装置７ａを含む。図１の電力需給調整システム１ａの構成と比較すると、タイマー式開閉装置５ａが５ｂに代わり、電力系統管理装置７ａが追加されている。タイマー式開閉装置５ｂは、タイマー式開閉装置５ａと同様に、分電盤４と、分散型電源６との間に設置され、記憶したタイマー設定値に応じて開路又は閉路の操作を行うが、さらにＰＬＣ（Power Line Communication）通信機能を備え、電力系統管理装置７ａからタイマー設定値を受信し、記憶したタイマー設定値を変更する。電力系統管理装置７ａは、電力系統２に連系し、同じく電力系統２に連系するタイマー式開閉装置５ｂとＰＬＣ通信機能によりデータの送受信が可能であり、配下にある各タイマー式開閉装置５ｂにタイマー設定値を送信する。
【００２８】
図４は、タイマー式開閉装置５ｂのハードウェア構成を示す図である。タイマー式開閉装置５ｂは、開閉部５１、タイマー５２、通信部５７、処理部５４及び記憶部５５を備え、各部がバス５６を介してデータを送受信可能なように接続されている。図２のタイマー式開閉装置５ａの構成と比較すると、入力部５３の代わりに通信部５７が備わっている。通信部５７は、電力系統管理装置７ａとの間でＰＬＣ通信を行う部分であり、電力系統管理装置７ａからタイマー設定値を受信し、処理部５４に受け渡す機能を持ち、例えば、ＰＬＣ通信モデム等により実現される。処理部５４は、通信部５７からタイマー設定値（開路及び閉路のタイミング）を取得したときに、そのタイマー設定値を設定する指示をタイマー５２に発し、タイマー５２から開路又は閉路のトリガを受けたときに、開路又は閉路の指示を開閉部５１に発する。
【００２９】
図５は、電力系統管理装置７ａのハードウェア構成を示す図である。電力系統管理装置７ａは、通信部７１、表示部７２、入力部７３、処理部７４及び記憶部７５を備え、各部がバス７６を介してデータを送受信可能なように接続されている。通信部７１は、タイマー式開閉装置５ｂとの間でＰＬＣ通信を行う部分であり、タイマー設定値をタイマー式開閉装置５ｂに送信する機能を持ち、例えば、ＰＬＣ通信モデム等によって実現される。表示部７２は、処理部７４からの指示によりデータを表示する部分であり、例えば、液晶ディスプレイ（ＬＣＤ：Liquid Crystal Display）等によって実現される。入力部７３は、オペレータがデータ（例えば、タイマー式開閉装置５ｂごとのタイマー設定値）を入力する部分であり、例えば、キーボードやマウス等によって実現される。
【００３０】
処理部７４は、所定のメモリを介して各部間のデータの受け渡しを行うととともに、電力系統管理装置７ａ全体の制御を行うものであり、ＣＰＵが所定のメモリに格納されたプログラムを実行することによって実現される。記憶部７５は、処理部７４からデータを記憶したり、記憶したデータを読み出したりするものであり、例えば、ＨＤＤやＳＳＤ等の不揮発性記憶装置によって実現される。なお、電力系統管理装置７ａは、汎用的なＰＣ（Personal Computer）やサーバであってもよいし、専用の装置であってもよい。
【００３１】
<データの構成>
図６は、電力系統管理装置７ａの記憶部７５に記憶されるタイマー設定値データ７５Ａの構成を示す図である。タイマー設定値データ７５Ａは、タイマー式開閉装置５ｂごとのタイマー設定値を示すデータであり、開閉装置ＩＤ７５Ａ１及びタイマー設定値７５Ａ２を含む、電力系統管理装置７ａが管轄するタイマー式開閉装置５ｂの台数分のレコードからなる。開閉装置ＩＤ７５Ａ１は、電力系統管理装置７ａがタイマー設定値を送信する対象となるタイマー式開閉装置５ｂに固有のＩＤ（識別データ）であり、例えば、当該開閉装置のＭＡＣ（Media Access Control）アドレスが設定される。タイマー設定値７５Ａ２は、タイマー式開閉装置５ｂに送信すべきタイマー設定値を示すデータであり、具体的には、電力需要が少なくなる期間に対応して開閉部５１（開閉器）を開路すべきタイミング及び閉路すべきタイミングが設定される。
【００３２】
タイマー設定値データ７５Ａの設定パターンについては、配下にあるタイマー式開閉装置５ｂに対して、すべてを同じタイマー設定値にする方法や、開閉装置ごとにタイマー設定値を変える方法がある。これによれば、分散型電源６から電力系統２に流入する電力を調整することができる。例えば、電力需要が大きく減少することが想定される期間に、電力系統２への電力を大きく抑制する際には、多くの開閉装置に対するタイマー設定値を同じにして、該当する期間に多くの分散型電源６を電力系統２から切り離すようにする。一方、電力需要が少し減少することが想定される期間に、電力系統２への電力を少し抑制する際には、所定の期間や時間帯に一部の分散型電源６を切り離すために、１又は所定数の開閉装置を１のグループにし、各グループに対するタイマー設定値が互いに異なるように設定する。
【００３３】
<システムの動作>
電力需給調整システム１ｂにおいて、電力系統管理装置７ａは、記憶部７５からタイマー設定値データ７５Ａを読み出し、各開閉装置ＩＤ７５Ａ１に対応するタイマー式開閉装置５ｂにタイマー設定値７５Ａ２を送信する。このとき、通常はタイマー式開閉装置５ｂが開閉部５１を閉路にしているので、開路にするタイミングに遅れないようにタイマー設定値を送信するものとする。タイマー式開閉装置５ｂは、電力系統管理装置７ａからタイマー設定値を受信し、そのタイマー設定値をタイマー５２に設定するとともに、タイマー５２に設定した結果（実際にタイマー５２に設定されているタイマー値）を電力系統管理装置７ａに送信する。電力系統管理装置７ａは、各タイマー式開閉装置５ｂからタイマー設定結果を受信する。
【００３４】
これによれば、電力系統２を運用する電力会社は、顧客の分散型電源６の前に設置されたタイマー式開閉装置５ｂに正しくタイマー設定値が設定されたか否かを確認することができ、正しいタイマー値が未設定であれば、タイマー設定値を再送することも可能である。なお、タイマー設定値の変更は、ゴールデンウィークの期間等、給電停止対象の時期に間に合うように、電力会社が実施する。
【００３５】
そして、タイマー式開閉装置５ｂのタイマー５２に設定されたタイマー設定値に応じて、分電盤４と、分散型電源６との間が開路又は閉路になる。
【００３６】
なお、上記実施の形態では、図１に示すタイマー式開閉装置５ａ、図３に示すタイマー式開閉装置５ｂ及び電力系統管理装置７ａ内の各部を機能させるために、処理部（ＣＰＵ）で実行されるプログラムをコンピュータにより読み取り可能な記録媒体に記録し、その記録したプログラムをコンピュータに読み込ませ、実行させることにより、本発明の実施の形態に係る電力需給調整システム１ａ及び１ｂが実現されるものとする。この場合、プログラムをインターネット等のネットワーク経由でコンピュータに提供してもよいし、プログラムが書き込まれた半導体チップ等をコンピュータに組み込んでもよい。
【００３７】
以上説明した本発明の実施の形態によれば、タイマー式開閉装置５ａ及び５ｂ（開閉装置）を、分散型電源６を設けた家屋（数万軒又はそれ以上の軒数）に設置することにより、数万ｋＷ又はそれ以上の電力が電力系統２に流入するのを回避することができる。これによれば、開閉装置を設置しない場合（例えば、開閉装置の代わりに蓄電池を設置する場合）に比べ、廉価な調整設備により、電力系統６における電力の需給バランスの確保が可能になる。そして、電力系統６を運用する電力会社において、電力の需給調整用に確保すべき蓄電設備等の設備容量を低減し、必要な対策費用を軽減することが可能になる。
【００３８】
詳細には、開閉装置の設置により対策を行う費用は、開閉装置１台の設置費用を１０万円とし、１万軒に設置すると、１０億円になる。この場合の調整可能な電力は、電力容量３ｋＷの分散型電源が１万軒として、３万ｋＷ程度と想定する。一方、３万ｋＷの電力を調整するのに必要な蓄電池のコストは、蓄電池の設置費用を１０万円／ｋＷとすると、３０億円になる。開閉装置の１０億円と、蓄電池の３０億円とを比較すれば、開閉装置の方が低コストになり、有利である。
【００３９】
なお、開閉装置を設置する場合、分散型電源６の運用者に対して、発電した電力を売電することができない不利益が生じるため、契約面での補償等も想定されるが、その補償等の金額を考慮してもコスト面での効果があると考えられる。
【００４０】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、図３に示す電力需給調整システム１ｂにおいては、タイマー式開閉装置５ｂを用いたが、タイマー機能を持たない開閉装置を用いてもよい。
【００４１】
図７は、その他の実施の形態に係る電力需給調整システム１ｃの構成を示す図である。電力需給調整システム１ｃは、電力系統２、電力線３、分電盤４、開閉装置５ｃ、分散型電源６及び電力系統管理装置７ｂを含む。図３の電力需給調整システム１ｂの構成と比較すると、タイマー式開閉装置５ｂが開閉装置５ｃに代わり、電力系統管理装置７ａが７ｂに代わっている。開閉装置５ｃは、タイマー式開閉装置５ｂと同様に、分電盤４と、分散型電源６との間に設置され、ＰＬＣ通信機能を備えるが、電力系統管理装置７ｂから送信された入切の信号に応じて、分電盤４と、分散型電源６とを接続する電力線３を閉路又は開路にする。電力系統管理装置７ｂは、電力系統２に連系し、同じく電力系統２に連系する開閉装置５ｃとＰＬＣ通信機能によりデータの送受信が可能であり、各開閉装置５ｃに入切の信号を送信する。
【００４２】
図８は、開閉装置５ｃの構成を示す図である。開閉装置５ｃは、開閉部５１、通信部５７、処理部５４及び記憶部５５を備え、各部がバス５６を介してデータを送受信可能なように接続されている。図４のタイマー式開閉装置５ｂの構成と比較すると、タイマー５２がなくなっている。通信部５７は、電力系統管理装置７ｂとの間でＰＬＣ通信を行う部分であり、電力系統管理装置７ｂから入切信号を受信し、処理部５４に受け渡す機能を持ち、例えば、ＰＬＣ通信モデム等により実現される。処理部５４は、通信部５７から入切信号（閉路及び開路のタイミング）を取得したときに、その入切信号に応じて閉路又は開路の指示を開閉部５１に発する。
【００４３】
なお、電力系統管理装置７ｂは、図５に示す電力系統管理装置７ａと同じハードウェア構成を有するが、記憶部７５のデータ及び処理部７４の処理内容が異なる。
【００４４】
図９は、電力系統管理装置７ｂの記憶部７５に記憶される信号送信スケジュールデータ７５Ｂの構成を示す図である。信号送信スケジュールデータ７５Ｂは、開閉装置５ｃごとの入切信号の送信スケジュールを示すデータであり、開閉装置ＩＤ７５Ｂ１及びスケジュール７５Ｂ２を含む、電力系統管理装置７ｂが管轄する開閉装置５ｃの台数分のレコードからなる。開閉装置ＩＤ７５Ｂ１は、電力系統管理装置７ｂが入切信号を送信する対象となる開閉装置５ｃに固有のＩＤであり、例えば、当該開閉装置のＭＡＣアドレスが設定される。スケジュール７５Ｂ２は、開閉装置５ｃに入切信号を送信すべきタイミングを示すデータであり、具体的には、電力系統２における電力需要が少なくなる期間に対応して開閉部５１を開路すべきタイミング（切信号の送信タイミング）及び閉路すべきタイミング（入信号の送信タイミング）が設定される。
【００４５】
電力需給調整システム１ｃにおいて、電力系統管理装置７ｂは、記憶部７５から信号送信スケジュールデータ７５Ｂを読み出し、スケジュール７５Ｂ２に従って各開閉装置ＩＤ７５Ｂ１に対応する開閉装置５ｂに入切信号を送信する。このとき、通常はタイマー式開閉装置５ｂが開閉部５１を閉路にしているので、開路にするタイミングに遅れないように切信号を送信するものとする。開閉装置５ｃは、電力系統管理装置７ｂから入切信号を受信し、その入切信号に応じて、開閉部５１を閉路又は開路にする。なお、電力系統管理装置７ｂは、電力系統２の送電状態により、電力需要が減少しつつあると判断したときには、リアルタイムにスケジュール７５Ｂ２を変更してもよいし、スケジュール７５Ｂ２に関係なく切信号を開閉装置５ｃに送信してもよい。
【００４６】
これによれば、開閉装置５ｃの開閉タイミングは、電力系統管理装置７ｂにおいて一括管理され、開閉装置５ｃ等に渡されることもなく、スケジュールデータの一元化を図ることができる。また、開閉装置５ｃには、タイマー５２の機能を付加する必要がないので、さらに低コストに電力の需給調整を行うことができる。
【符号の説明】
【００４７】
１ａ、１ｂ  電力需給調整システム
２      電力系統
３      電力線
５ａ、５ｂ  タイマー式開閉装置（開閉装置）
５１    開閉部
５２    タイマー
５３    入力部
５４    処理部
５７    通信部
６      分散型電源
７ａ、７ｂ  電力系統管理装置（管理装置）
【図１】
0005485067.tif 000002
【図２】
0005485067.tif 000003
【図３】
0005485067.tif 000004
【図４】
0005485067.tif 000005
【図５】
0005485067.tif 000006
【図６】
0005485067.tif 000007
【図７】
0005485067.tif 000008
【図８】
0005485067.tif 000009
【図９】
0005485067.tif 000010